(57)【要約】【課題】  獣医科用保定装置を用いて患者動物を仰向けの体勢で保定しながら診察や手術を行う際に、患者動物の体側部に対する診察や手術がさらに容易となる構成を有する獣医科用保定装置を提供すること。【解決手段】  獣医科用保定装置１０は、患者動物を保持する保定器本体２０を支柱２４など４本の支柱で支持している。これらの支柱は、筐体３０に収納されたアクチュエータによって長手方向に直交する方向において傾斜可能である。保定器本体２０の長手方向における両側部から、第１支持アーム４０及び第２支持アーム４３と、第３支持アーム４６及び第４支持アーム４９が互いに背向するように保定器本体２０の端部側に延びている。第１支持アーム４０、第２支持アーム４３、第３支持アーム４６及び第４支持アーム４９は、患者動物の四肢やその近傍部分を支持することによって患者動物を一定の体勢に保持する。【選択図】  図１
2015167660.tif 000002
【特許請求の範囲】
【請求項１】
長手方向に沿って延びる谷状部が形成された保定器本体と、
該保定器本体の長手方向の第１の側部の中間点から第１の端部側に所定長さ離れた位置から該第１の端部側に向かって、かつ、全部又は基端側部分が前記保定器本体から徐々に離隔しながら延びるように設けられた第１の支持アームと、
前記保定器本体の長手方向の第２の側部の中間点から前記第１の端部側に前記所定長さ離れた位置から前記第１の端部側に向かって、かつ、全部又は基端側部分が前記保定器本体から徐々に離隔しながら延びるように設けられた第２の支持アームと、
前記保定器本体の長手方向の前記第１の側部の中間点から第２の端部側に前記所定長さ離れた位置から該第２の端部側に向かって、かつ、全部又は基端側部分が前記保定器本体から徐々に離隔しながら延びるように設けられた第３の支持アームと、
前記保定器本体の長手方向の前記第２の側部の中間点から前記第２の端部側に前記所定長さ離れた位置から前記第２の端部側に向かって、かつ、全部又は基端側部分が前記保定器本体から徐々に離隔しながら延びるように設けられた第４の支持アームとを有することを特徴とする獣医科用保定装置。
【請求項２】
さらに、前記保定器本体を支持する支柱と、
該支柱を傾斜させることによって、前記保定器本体を前記第１の端部側と前記第２の端部側との両方向に傾斜可能に設けられたアクチュエータとを有することを特徴とする請求項１に記載の獣医科用保定装置。
【請求項３】
前記支柱に支持されると共に、前記保定器本体の前記第１の側部に沿って延びる第１のレール部材と、
前記支柱に支持されると共に、前記保定器本体の前記第２の側部に沿って延びる第２のレール部材とをさらに有し、
前記第１の支持アーム及び前記第３の支持アームと、前記第２の支持アーム及び前記第４の支持アームとは、基端部に前記第１のレール部材と、前記第２のレール部材とに支持されると共に摺動可能な保持具をそれぞれ備え、該保持具を介して前記第１のレール部材と、前記第２のレール部材とにそれぞれ摺動可能に保持されていることを特徴とする請求項２に記載の獣医科用保定装置。
【請求項４】
前記保定器本体は、長手方向に沿って延びる谷状部が形成された基礎部材と、長手方向に沿って延びる谷状部が形成されると共に、前記基礎部材に長手方向に沿って、かつ、互いに背向する方向に摺動可能に支持された第１の摺動部材と第２の摺動部材とを備えていることを特徴とする請求項１ないし請求項３のいずれか一項に記載の獣医科用保定装置。
【請求項５】
前記第１の支持アーム、前記第２の支持アーム、前記第３の支持アーム及び前記第４の支持アームは、長手方向に直交する断面が略円形状のパイプ材によって形成されていることを特徴とする請求項１ないし請求項４のいずれか一項に記載の獣医科用保定装置。
【発明の詳細な説明】
【技術分野】
【０００１】
本発明は、獣医科用保定装置に関し、特に獣医師が患者動物に対して診察又は手術、傷の手当てなどを行う際に一体の体勢に保持しておく獣医科用保定装置に関する。
【背景技術】
【０００２】
獣医科用保定装置は、例えば犬や猫などの患者動物に対して診察や手術を行う際に、一定の体勢を保持させるために利用するものであり、患者動物を仰向けの体勢で保持する構成となっているものが多い。診察や手術の間、仰向けなど通常とは異なる体勢のまま保持しておく必要があるので、ロープ等を使って拘束できる構成を有するものも多い。
【０００３】
図２０は、従来技術に係る獣医科用保定装置の一例を示し、（ａ）は正面図、（ｂ）は平面図である。図２０において、１９０は獣医科用保定装置、１９１はポジショナー、１９２は弾性拘束体、１９３は面ファスナー、１９４は患者動物である。図２０は、特開２００１−２９９７８６公報において開示されているものである。獣医科用保定装置１９０は、ポジショナー１９１のＶ溝に患者動物１９４を仰向けに置き、弾性拘束体１９２を引っ張って緊張させながら患者動物１９４を覆い、適度の締め付け力により拘束した状態で面ファスナー１９３を止める。このように構成したことによって、患者動物１９４の身体表面の凹凸などを吸収して患者動物１９４の身体をＶ溝に安定に拘束できるというものである。
【０００４】
しかしながら、以上の構成では、Ｘ線撮影のように拘束中に患者動物を触れない場合しか利便性が発揮されない。すなわち、弾性拘束体１９２などで体幹や四肢の大半が隠れてしまうので、診察や手術には全く適さない。患者動物に麻酔を施すのであれば、患者動物を仰向けにしたまま弾性拘束体１９２を取り外すことも可能であるが、体側部のほとんどの部分がポジショナー１９１に隠れた状態にあるので、体側部の診察や手術ができない。さらに、一部の手術台には、平坦な天板をポジショナー１９１のＶ溝のようにＶ字状に折り曲げられ、くわえてＶ字状にした部分の角度を任意に変えられるものもある。天板を折り曲げ、かつ、天板の折曲角度を適宜変更することによって、多様な胴囲や体型の患者動物に対応することが可能になり、また診察や手術の状況に応じて折曲角度を適宜変更することも可能になる。よって、診察や手術が図２０で示した構成よりも容易にはなると言える。
【０００５】
ところが、このような手術台においても、体側部の大部分が天板に隠れている、あるいは、体側部を非常に視認しにくいことに変わりはなく、隠れた部分の診察や手術はやはり困難である。さらに、獣医師が患者動物の体側部に触れるときには、Ｖ字状に折れ曲がった天板の上面に沿って手を伸ばさなければならず、獣医師の動作も制限される。また、患者動物を仰向け以外の向きに向けることも困難である。以上のように、現在主流となっているＶ字状の部材で患者動物を保定する構成は、診察や手術をする上で大きな課題を残していると言える。
【先行技術文献】
【特許文献】
【０００６】
【特許文献１】特開２００１−２９９７８６公報
【発明の概要】
【発明が解決しようとする課題】
【０００７】
本発明は、上記課題を解決するために、獣医科用保定装置を用いて患者動物を仰向けの体勢で保定しながら診察や手術を行う際に、患者動物の体側部に対する診察や手術がさらに容易となる構成を有する獣医科用保定装置を提供することを目的とする。
【課題を解決するための手段】
【０００８】
請求項１に記載の発明は、長手方向に沿って延びる谷状部が形成された保定器本体と、  該保定器本体の長手方向の第１の側部の中間点から第１の端部側に所定長さ離れた位置から該第１の端部側に向かって、かつ、全部又は基端側部分が前記保定器本体から徐々に離隔しながら延びるように設けられた第１の支持アームと、前記保定器本体の長手方向の第２の側部の中間点から前記第１の端部側に前記所定長さ離れた位置から前記第１の端部側に向かって、かつ、全部又は基端側部分が前記保定器本体から徐々に離隔しながら延びるように設けられた第２の支持アームと、前記保定器本体の長手方向の前記第１の側部の中間点から第２の端部側に前記所定長さ離れた位置から該第２の端部側に向かって、かつ、全部又は基端側部分が前記保定器本体から徐々に離隔しながら延びるように設けられた第３の支持アームと、前記保定器本体の長手方向の前記第２の側部の中間点から前記第２の端部側に前記所定長さ離れた位置から前記第２の端部側に向かって、かつ、全部又は基端側部分が前記保定器本体から徐々に離隔しながら延びるように設けられた第４の支持アームとを有することを特徴とする獣医科用保定装置である。
【０００９】
請求項２に記載の発明は、請求項１に記載の発明において、さらに、前記保定器本体を支持する支柱と、該支柱を傾斜させることによって、前記保定器本体を前記第１の端部側と前記第２の端部側との両方向に傾斜可能に設けられたアクチュエータとを有することを特徴とする獣医科用保定装置である。
【００１０】
請求項３に記載の発明は、請求項２に記載の発明において、前記支柱に支持されると共に、前記保定器本体の前記第１の側部に沿って延びる第１のレール部材と、前記支柱に支持されると共に、前記保定器本体の前記第２の側部に沿って延びる第２のレール部材とをさらに有し、前記第１の支持アーム及び前記第３の支持アームと、前記第２の支持アーム及び前記第４の支持アームとは、基端部に前記第１のレール部材と、前記第２のレール部材とに支持されると共に摺動可能な保持具をそれぞれ備え、該保持具を介して前記第１のレール部材と、前記第２のレール部材とにそれぞれ摺動可能に保持されていることを特徴とする獣医科用保定装置である。
【００１１】
請求項４に記載の発明は、請求項１ないし請求項３のいずれか一項に記載の発明において、前記保定器本体は、長手方向に沿って延びる谷状部が形成された基礎部材と、長手方向に沿って延びる谷状部が形成されると共に、前記基礎板材に長手方向に沿って、かつ、互いに背向する方向に摺動可能に支持された第１の摺動部材と第２の摺動部材とを備えていることを特徴とする獣医科用保定装置である。
【００１２】
請求項５に記載の発明は、請求項１ないし請求項４のいずれか一項に記載の発明において、前記第１の支持アーム、前記第２の支持アーム、前記第３の支持アーム及び前記第４の支持アームは、長手方向に直交する断面が略円形状のパイプ材によって形成されていることを特徴とする獣医科用保定装置である。
【発明の効果】
【００１３】
請求項１に記載の発明によれば、保定器本体の長手方向に沿って延びる谷状部と、第１、第２、第３及び第４の支持アームによって患者動物を仰向けの状態で支持するので、Ｖ字状の保定面を持つ保定装置や手術台と同様の状態で患者動物を支持できる上に、体側部や四肢を第１、第２、第３及び第４の支持アームで支持するので、支持アームに接している部分を除いて体側部の診察や手術が可能となる。また、第１の支持アームと第３の支持アーム、及び、第２の支持アームと第４の支持アームでの間、所定長さの２倍の間隙を確保できるので、診察や手術の必要性が高い部位である患者動物の腹部の側部が完全に露出した状態となる。また、犬や猫などを仰向けの体勢にすると、四肢が体幹部から徐々に離れて末広がりのような状態になるが、第１、第２、第３及び第４の支持アームを保定器本体から徐々に離隔しながら延びるように構成したので、第１、第２、第３及び第４の支持アームに四肢を縛り付けることが容易になる。
【００１４】
請求項２に記載の発明によれば、保定器本体を第１の端部側と第２の端部側との両方向に傾斜できるので、例えば腹腔鏡手術の際に、仰向けの体勢にした患者動物を傾けることによって腹腔内の臓器を左右どちらかの側に寄せて、腹腔内に視野を確保することが可能になる。
【００１５】
請求項３に記載の発明によれば、第１のレール部材と第２のレール部材との長さに応じて、第１及び第３の支持アームと、第２及び第４の支持アームを保持する位置をそれぞれ適宜変更できる。よって、第１、第２、第３及び第４の支持アームを保持する位置を患者動物の体長などに応じて適宜変更することが可能になる。
【００１６】
請求項４に記載の発明によれば、第１の摺動部材と第２の摺動部材とを互いに背向する方向に摺動することによって、保定器本体の実質的な長さを変更することが可能になる。よって、患者動物の体長に応じて保定器本体の長さを変更できる。
【００１７】
請求項５に記載の発明によれば、第１の支持アーム、第２の支持アーム、第３の支持アーム及び第４の支持アームをいわゆる丸パイプで形成するので、第１、第２、第３及び第４の支持アームにロープの留め具等を固定する際に、留め具等をどの方向に向けても固定することが可能になる。
【図面の簡単な説明】
【００１８】
【図１】本発明の第１の実施の形態に係る獣医科用保定装置を示す斜視図である。
【図２】本発明の第１の実施の形態に係る獣医科用保定装置を示す正面図である。
【図３】本発明の第１の実施の形態に係る獣医科用保定装置を示す平面図である。
【図４】本発明の第１の実施の形態に係る獣医科用保定装置を示す右側面図である。
【図５】保定器本体を傾斜させた状態を示し、（ａ）は手前側に傾斜させた状態の右側面、（ｂ）は奥側に傾斜させた状態の右側面である。
【図６】患者動物を保定した状態を示す平面図である。
【図７】第１の支持アームにロープ留め具を固定した状態を示し、（ａ）は上方からの引張応力に対応するときの取付方向、（ｂ）は手前側上方からの引張応力に対応するときの取付方向、（ｃ）は奥側上方からの引張応力に対応するときの取付方向である。
【図８】本発明の第１の実施の形態に係る獣医科用保定装置を傾斜可能な処置手術台に装着した状態を示す正面図である。
【図９】本発明の第１の実施の形態に係る獣医科用保定装置を傾斜可能な処置手術台に装着した状態を示す右側面図である。
【図１０】本発明の第１の実施の形態に係る獣医科用保定装置を傾斜可能な処置手術台に装着した状態を示す平面図である。
【図１１】本発明の第１の実施の形態に係る獣医科用保定装置を処置手術台上で傾斜させた状態を示す右側面図である。
【図１２】本発明の第１の実施の形態に係る獣医科用保定装置を傾斜しない処置台に装着した状態を示す正面図である。
【図１３】本発明の第１の実施の形態に係る獣医科用保定装置を傾斜しない処置台に装着した状態を示す右側面図である。
【図１４】本発明の第１の実施の形態に係る獣医科用保定装置を傾斜しない処置台に装着した状態を示す平面図である。
【図１５】本発明の第２の実施の形態に係る獣医科用保定装置を示す斜視図である。
【図１６】本発明の第２の実施の形態に係る獣医科用保定装置を示す正面図である。
【図１７】本発明の第１の実施の形態に係る獣医科用保定装置を示す平面図である。
【図１８】本発明の第１の実施の形態に係る獣医科用保定装置を示す右側面図である。
【図１９】本発明の第２の実施の形態に係る獣医科用保定装置の保定器本体を伸張した状態を示す斜視図である。
【図２０】従来技術に係る獣医科用保定装置の一例を示し、（ａ）は正面図、（ｂ）は平面図である。
【発明を実施するための形態】
【００１９】
まず、本発明の第１の実施の形態に係る獣医科用保定装置の概要について説明する。図１は本発明の第１の実施の形態に係る獣医科用保定装置を示す斜視図である。図１において、１０は獣医科用保定装置、２０は保定器本体、２４、２５及び２６は支柱、２７は回転支持部材、３０は筐体、３１ａ及び３１ｂは開口部、３４及び３６は滑り止め、３８ａ及び３８ｂは開口部、４０は第１支持アーム、４３は第２支持アーム、４３ａは湾曲部、４３ｂは直線状部、４４及び４５は連結部材、４６は第３支持アーム、４９は第４支持アーム、４９ａは湾曲部、４９ｂは直線状部、５０及び５１は連結部材である。
【００２０】
獣医科用保定装置１０は、患者動物を保持する保定器本体２０を支柱２４などの４本の支柱によって支持している。これら４本の支柱は、筐体３０に収納されているアクチュエータによって長手方向に直交する方向において傾斜可能な状態で支持されている。筐体３０は、アクチュエータなどを収納する筐体であるが、保定器本体２０や、４本の支柱、アクチュエータなど全体構造を支持する基台としての機能も持っている。保定器本体２０の長手方向における両側部からは、第１支持アーム４０及び第２支持アーム４３と、第３支持アーム４６及び第４支持アーム４９との２組の支持アームが互いに背向するように保定器本体２０の端部側に延びている。第１支持アーム４０、第２支持アーム４３、第３支持アーム４６及び第４支持アーム４９は、患者動物の四肢や四肢の近傍部分を支持することによって患者動物を一定の体勢に保持するものである。したがって、獣医科用保定装置１０では、天板をＶ字状に折り曲げる従来型の手術台における天板に相当するものを、保定器本体２０と第１支持アーム４０、第２支持アーム４３、第３支持アーム４６及び第４支持アーム４９とによって構成している。また、第１支持アーム４０、第２支持アーム４３、第３支持アーム４６及び第４支持アーム４９は、後述するロープ留め具などを固定するための支持部材でもある。
【００２１】
さらに、本発明の第１の実施の形態に係る獣医科用保定装置の各部の構成について詳細に説明する。図２は、本発明の第１の実施の形態に係る獣医科用保定装置を示す正面図である。図２において、２０ａａ及び２０ａｂは切り込み部、２１は支持部材、２３は支柱、２３ａ、２４ａ、２５ａ及び２６ａは折り曲げ部、２８は回転支持部材、３９ａは中間領域、４０ａ    湾曲部、４０ｂは直線状部、４１及び４２は連結部材、４６ａは湾曲部、４６ｂは直線状部、４７及び４８は連結部材であり、その他の符号は図１と同じものを示す。また、図３は、本発明の第１の実施の形態に係る獣医科用保定装置を示す平面図である。図３において、３５及び３７は滑り止め、３９ｂは中間領域であり、その他の符号は図１及び図２と同じである。図４は、本発明の第１の実施の形態に係る獣医科用保定装置を示す右側面図である。図４において、２０ａは円弧状曲面部、２０ｂ及び２０ｃは平面部、２２は支持部材、２３ｂは折り曲げ部、２３ｃは舌状部、２４ｂは舌状部、２９は回転軸、３２は電動アクチュエータ、３２ａは駆動部、３３は回転軸、３５ａは水平部、３５ｂは垂直部であり、その他の符号は図１及び図２と同じである。また、図５は、保定器本体を傾斜させた状態を示し、（ａ）は手前側に傾斜させた状態の右側面、（ｂ）は奥側に傾斜させた状態の右側面である。図５において用いた符号は、すべて図４と同じものを示す。なお、以下の説明において、獣医科用保定装置１０の手前側とは、第１支持アーム４０及び第３支持アーム４６を設けている側とし、獣医科用保定装置１０の奥側とは、第２支持アーム４３及び第４支持アーム４９を設けている側とする。
【００２２】
保定器本体２０は、帯状の金属板を加工して形成されており、図３に示すように、平面的に見ると細長い略矩形状に形成指されている。また、長辺側、すなわち長手方向に平行な縁辺は、手前側、奥側共に直線上に形成されている。短辺側、すなわち長手方向と直交する縁辺は、両縁辺共に長辺側の縁辺との角が円弧状に加工している。くわえて、短辺側の両縁辺には、凹状の切り込み部２０ａａと切り込み部２０ａｂとをそれぞれ形成している。切り込み部２０ａａと切り込み部２０ａｂとは、保定器本体２０で患者動物を保定して手術を行うときに、酸素供給用チューブなどを接触するように配置しておくことによって、保定器本体２０を傾斜させたときなどにその酸素供給用チューブなどが移動しにくくなるという利点がある。手術中に、酸素供給用チューブなどが意図しない位置に移動すると、獣医師や動物看護師の指に掛かるなどして手術の進行を妨げるので、酸素供給用チューブなどを安定的に位置させることは患者動物の保定自体に関係しないが、非常に有用な効果と言える。また、図２に示すように、通常の状態では長手方向において水平に保たれている。
【００２３】
また、保定器本体２０は、側面から見たときに、図４に示すように、両側方を傾斜した平面部２０ｂ及び平面部２０ｃとしており、これらの間の部分を円弧状曲面部２０ａとしている。また、平面部２０ｂ及び平面部２０ｃと円弧状曲面部２０ａとで谷状部を構成している。平面部２０ｂと平面部２０ｃとは、保定器本体２０の中心軸を含む仮想的な垂直面に対して面対称となるように形成されている。つまり、平面部２０ｂと平面部２０ｃとは、互いに背向し、かつ、同じ上り勾配の平面板として形成されている。円弧状曲面部２０ａは、平面部２０ｂと平面部２０ｃとの間の谷底に相当する領域であり、側面から見たときに、緩やかな円弧状を呈するように形成されている。また、円弧状曲面部２０ａと平面部２０ｂ及び平面部２０ｃとの長手方向に直交する断面は、両端部を除いてどの部位においても同じになるように形成されている。従来型の手術台では天板をＶ字状に折り曲げるので、円弧状曲面部２０ａに相当する部分は存在せず、本発明に特有の構成であると言える。したがって、獣医科用保定装置１０は、Ｖ字状の面しか存在しない従来型の手術台や、特開２００１−２９９７８６公報の獣医科用保定装置と比較して、患者動物の体幹部と体幹部を保持する面との接触面積を大きくすることができ、患者動物を安定的に保持できるという利点がある。また、円弧状曲面部２０ａと平面部２０ｂ及び平面部２０ｃとの長手方向に直交する断面を両端部以外において同じ形状にしているので、様々な大きさの患者動物を保定することが可能である。
【００２４】
第１支持アーム４０は、図３及び図４に示すように、保定器本体２０の支持部材２１側の長手方向の中間点から後述する所定長さだけ離れた部位を起点として、切り込み部２０ａａを設けた側に向かって保定器本体２０から徐々に離隔しながら延びている。これは、後述するように患者動物を的確に保定する上で非常に好ましい構成である。第１支持アーム４０の起点は、保定器本体２０に直接接続されているのではなく、図２及び図４に示すように、保定器本体２０に接続された補強材である支持部材２１に対して接続されている。なお、湾曲部４０ａと直線状部４０ｂとの長さ比率や、湾曲部４０ａの湾曲の大きさなどは、図２などに示すものに限られるものではないが、保定器本体２０から徐々に離隔しながら延びる形状にする必要がある。また、第１支持アーム４０は、後述する理由によって、長手方向に直交する断面が略円形状となる材料、すなわち丸パイプ材から形成している。
【００２５】
また、起点から僅かに離れた部位から大きく湾曲する湾曲部４０ａとし、湾曲部４０ａから先端側を直線状部４０ｂとしている。さらに、直線状部４０ｂの湾曲部４０ａ寄りの部分、つまり第１支持アーム４０全体から見ると中間部となる部分と支持部材２１とを連結するように連結部材４１と連結部材４２とを設けている。連結部材４１及び４２は、保定器本体２０から四肢の大部分がはみ出す体が大きい患者動物の左前肢を第１支持アーム４０と共に支持するものである。さらに、図２に示すように、起点から上り勾配となり、先端部が保定器本体２０の平面部２０ｂの上端部よりもやや高い位置となるような上り勾配に形成されている。第１支持アーム４０を先端に向かって上り勾配とすることによって、保定器本体２０を支持部材２１側に傾けたときに第１支持アーム４０と連結部材４１及び４２によって患者動物を十分に支持できるようになる。
【００２６】
第２支持アーム４３は、図３及び図４に示すように、保定器本体２０の支持部材２２側の長手方向の中間点から後述する所定長さだけ離れた部位を起点として、切り込み部２０ａａを設けた側に向かって保定器本体２０から徐々に離隔しながら延びている。また、図２及び図４に示すように、支持部材２２に対して接続されている。さらに、図２に示すように、起点から上り勾配となり、先端部が保定器本体２０の平面部２０ｂの上端部よりもやや高い位置となるような上り勾配に形成されている。くわえて、保定器本体２０の中心軸を含む仮想的な垂直面に対して、第１支持アーム４０と面対称となるように形成されている。連結部材４４及び４５は、第１支持アーム４０における連結部材４１及び４２と同様に設けられており、保定器本体２０から四肢の大部分がはみ出すような大きい患者動物の左前肢を第２支持アーム４３と共に支持するものである。また、連結部材４４及び４５も、保定器本体２０の中心軸を含む仮想的な平面に対して、連結部材４１及び４２と面対称となるように形成されている。
【００２７】
第３支持アーム４６は、図３及び図４に示すように、保定器本体２０の支持部材２１側の長手方向の中間点から後述する所定長さだけ離れた部位を起点として、切り込み部２０ａｂを設けた側に向かって保定器本体２０から徐々に離隔しながら延びている。また、図２及び図４に示すように、支持部材２１に対して接続されている。さらに、図２に示すように、起点から上り勾配となり、先端部が保定器本体２０の平面部２０ｂの上端部よりもやや高い位置となるような上り勾配に形成されている。くわえて、保定器本体２０の長手方向における中間点を含む仮想的な垂直面に対して、第１支持アーム４０と面対称となるように形成されている。これは、患者動物の頭部を切り込み部２０ａａと切り込み部２０ａｂとのいずれの方向に向けても使用できるようにして、獣医科用保定装置１０の利便性を高めるためである。連結部材４７及び４８は、第１支持アーム４０における連結部材４１及び４２と同様に設けられており、保定器本体２０の長手方向における中間点を含む仮想的な垂直面に対して、第１支持アーム４０の連結部材４１及び４２と面対称となるように形成されている。獣医科用保定装置において患者動物の頭部を特定の方向に向ける構成とする場合には、保定器本体２０の長手方向における中間点を含む仮想的な垂直面に対して面対称としなくてもよい。
【００２８】
また、第１支持アーム４０と第３支持アーム４６との間には、保定器本体２０の支持部材２１側の長手方向の中間点から左右双方に所定長さの長さを持つ支持アーム等を設けていない中間領域３９ａを生じる。中間領域３９ａは、獣医科用保定装置１０で保定できる最大の大きさの患者動物、すなわち、患者動物を仰向けの体勢にして第１支持アーム４０及び第２支持アーム４３と第３支持アーム４６及び第４支持アーム４９とで四肢を無理なく保持できる最大の大きさの患者動物の体側部の剣状突起から恥骨までの領域の全体又は全体近くが第１支持アーム４０と第３支持アーム４６との間に現れるように設定している。したがって、前述の所定長さは、保持できる最大の大きさの患者動物の体側部の長さのほぼ半分ということになる。以上のように、中間領域３９ａを生じる構成としたことによって、患者動物の体側部が獣医師の眼前に現れた状態となるので、診察や手術を適切に行うことができる。
【００２９】
第４支持アーム４９は、図３及び図４に示すように、保定器本体２０の支持部材２２側の長手方向の中間点から後述する所定長さだけ離れた部位を起点として、切り込み部２０ａｂを設けた側に向かって保定器本体２０から徐々に離隔しながら延びている。また、図２及び図４に示すように、支持部材２２に対して接続されている。さらに、図２に示すように、起点から上り勾配となり、先端部が保定器本体２０の平面部２０ｂの上端部よりもやや高い位置となるような上り勾配に形成されている。くわえて、保定器本体２０の心軸を含む仮想的な垂直面に対して、第３支持アーム４６と面対称となるように形成されている。さらに、保定器本体２０の長手方向における中間点を含む仮想的な垂直面に対して、第２支持アーム４３と面対称となるように形成されている。連結部材４７及び４８は、第１支持アーム４０における連結部材４１及び４２と同様に設けられており、保定器本体２０の長手方向における中間点を含む仮想的な垂直面に対して、第３支持アーム４６の連結部材４７及び４８と面対称となるように形成されている。また、第２支持アーム４３と第４支持アーム４９との間には、第１支持アーム４０及び第３支持アーム４６と同様に、保定器本体２０の支持部材２２側の長手方向の中間点から左右双方に所定長さの長さを持つ支持アーム等を設けていない中間領域３９ｂを生じる。獣医科用保定装置１０においては、保定器本体２０の手前側に中間領域３９ａ、奥側に中間領域３９ｂが存在するので、手前側と奥側との双方において同等に診察や手術を行うことが可能である。
【００３０】
保定器本体２０は、支柱２３、２４、２５及び２６によって支持されている。支柱２３は、図４に示すように、上方が２叉に分かれており、さらに２叉に分かれた部分に折り曲げ部２３ａと折り曲げ部２４ａとを設けて、保定器本体２０を強固に支持できるようにしている。折り曲げ部２３ａと折り曲げ部２４ａとは、保定器本体２０の平面部２０ｂと平面部２０ｃとに平行な平面板として形成されている。このように形成するとこによって、折り曲げ部２３ａ及び折り曲げ部２４ａと平面部２０ｂ及び平面部２０ｃとが互いに全面的に接した状態でろう付け又は接着を行うことを容易にしている。支柱２４、２５及び２６においても、図２に示す折り曲げ部２４ａ、２５ａ及び２６ａと、図示していない平面部２０ｂ側の折り曲げ部によって保定器本体２０を支持している。
【００３１】
さらに、支柱２３は、回転支持部材２７に対して、回転軸２９を介して支持されている。回転支持部材２７は、その大部分が筐体３０の内部に設けられており、上端部近傍の部分のみが筐体３０の開口部３１ａから上方に突出している。また、回転支持部材２７の上端部近傍の部位に回転軸２９が設けられている。回転軸２９には、支柱２３の舌状部２３ｃが回転可能な状態で接続されている。舌状部２３ｃは、支柱２３の開口部３１ａを介して筐体３０の内部に進入している部分であり、舌状部２３ｃが回転軸２９を中心に回転することによって支柱２３全体が手前側又は奥側に傾斜する。また、支柱２６も、図１及び図２に示すように、上端部近傍の部分が筐体３０の開口部３１ｂから上方に突出している回転支持部材２８に対して、図示していない回転軸を介して支持されている。なお、図示していない回転軸の形状や配置は、回転軸２９と同じである。
【００３２】
支柱２４は、図１及び図４に示すように、開口部３８ａを介して舌状部２４ｂが筐体３０の内部に進入しており、舌状部２４ｂの下端部近傍の部分が回転軸３３に接続されている。回転軸３３は、電動アクチュエータ３２の駆動部３２ａに設けられている。電動アクチュエータ３２は保定器本体２０を手前側と奥側との両方向に傾斜させるために設けたものである。電動アクチュエータ３２に通電すると、駆動部３２ａは水平方向に摺動するので、回転軸３３も水平方向に移動する。ここで、例えば、駆動部３２ａが滑り止め３５側、すなわち奥側に向かって摺動すると、回転軸３３の奥側への移動に伴って舌状部２４ｂの下端部近傍の部分も奥側へ移動する。支柱２３を回転可能に支持している回転軸３３と、支柱２６を回転可能に支持している図示していない回転軸は、回転軸２９よりも高いところに位置しているので、舌状部２４ｂの下端部近傍の部分も奥側へ移動すると、支柱２４が手前側に傾き、保定器本体２０も手前側に傾斜して図５（ａ）に示す状態となる。逆に、駆動部３２ａが滑り止め３４側、すなわち手前側に向かって摺動すると、舌状部２４ｂの下端部近傍の部分も手前側へ移動する。今度は支柱２４が奥側に傾き、保定器本体２０も奥側に傾斜して図５（ｂ）に示す状態となる。
【００３３】
電動アクチュエータ３２の駆動部３２ａを最も奥側又は最も手前側に摺動させると、保定器本体２０は図５（ａ）又は（ｂ）に２点鎖線で示したところまで傾斜する。すなわち、平面部２０ｂ又は平面部２０ｃが水平状態を越え、僅かに下り勾配となるところまで傾斜する。平面部２０ｂ又は平面部２０ｃが僅かに下り勾配となるところまで傾斜すると、保定器本体２０に仰向けの体勢で保定した患者動物が横向きとなり、腹腔内の臓器が傾斜した側に大きく寄せることになる。この状態において、患者動物の腹腔内に腹腔鏡を挿入すると、腹腔鏡の周囲に空間ができて視野を確保することが非常に容易になると言う利点がある。なお、保定器本体２０は、ここまで大きく傾斜しない構成であっても、体側部の診察や手術が容易になるという利点があるが、腹腔鏡などの内視鏡手術の利便性を高める観点から平面部２０ｂ又は平面部２０ｃが水平状態となるまで傾斜することが望ましく、水平状態を越えて下り勾配となるところまで傾斜することがさらに望ましい。また、筐体３０の条件は、保定器本体２０の傾斜を妨げないように、中心軸を境界として手前側と奥側に僅かに下り傾斜になっており、端部の近傍部分ではさらに急傾斜にしている。
【００３４】
筐体３０は、前述のように電動アクチュエータ３２や、回転支持部材２７及び２８を収納しているが、さらに図示していない電動アクチュエータ３２の駆動回路や駆動用バッテリも収納している。したがって、獣医科用保定装置１０は、外部の電源が確保できないところでも使用可能であり、例えば処置台などの安定した台に適宜載置して使用することが可能である。また、電動アクチュエータ３２は、外部に設けた図示していないコントローラを介して操作する。また、図２及び図３に示すように、筐体３０の底面の長辺側の両端部近傍の部位に、滑り止め３４、３５、３６及び３７を設けている。図４に示すように、滑り止め３５は、筐体３０の底面に貼り付けられた水平部３５ａと下方に突出した垂直部３５ｂとから構成されている。垂直部３５ｂは、処置台のシンクの枠に設けた受け部の開口部や凹部に挿入することによって、獣医科用保定装置１０が使用中にずれ動くことを防止するために設けたものである。また滑り止め３４、３６及び３７も同様に構成されているが、滑り止め３４及び３６は滑り止め３５と背向する向きに設けられている。なお、シンクの枠に滑り止めを設けているなど、ずれ動くおそれがない場合には、滑り止め３４、３５、３６及び３７を省略してもよい。
【００３５】
次に、獣医科用保定装置１０による患者動物の保定状態において説明する。図６は、患者動物を保定した状態を示す平面図である。図６において、７４、７５、７６及び７７はロープ留め具、７８、７９、８０及び８１はロープ、８２はマット、８３は患者動物、８４は右前肢、８５は左前肢、８６は右後肢、８７は左後肢、８８は腹部、８９は頭部であり、その他の符号は図３と同じものを示す。
【００３６】
図６は、獣医科用保定装置１０に患者動物として比較的大型のイヌを保定した状態を示す。患者動物８３を保定する際には、まず四肢に結び付けるロープ７８、７９、８０及び８１の固定を容易にするために第１支持アーム４０、第２支持アーム４３、第３支持アーム４６及び第４支持アーム４９に対して、ロープ留め具７４、７５、７６及び７７をそれぞれ固定しておく。また、保定器本体２０にマット８２を敷いておく。この状態において、マット８２の上に患者動物８３を仰向けの体勢にし、右前肢８４にロープ８０、左前肢８５にロープ８１、右後肢８６にロープ７８、左後肢８７にロープ７９のそれぞれの一端を結び付ける。そして、ロープ８０、８１、ロープ７８及びロープ７９の他端側をロープ留め具７６、７７、７４及び７５で挟み付けることによって固定する。
【００３７】
ところで、患者動物８３を仰向けの体勢にして四肢を伸ばすと、前肢と後肢とはそれぞれ体幹部から末広がりに開いた状態となる。前述のように、第１支持アーム４０及び第２支持アーム４３と第３支持アーム４６及び第４支持アーム４９とも、保定器本体２０から徐々に離隔して末広がりの状態に構成されているので、それぞれの支持アームが仰向けの患者動物８３の四肢に対して平行か平行に近い状態となるので、四肢をロープで保持することが容易になる。また、第１支持アーム４０及び第２支持アーム４３と第３支持アーム４６及び第４支持アーム４９とは、互いに背向するように先端側に向かって上り勾配となるように構成されているが、この上り勾配としたことも仰向けの体勢にした患者動物８３の四肢に平行か平行に近い状態となることを目的としている。また、仰向けの体勢にした患者動物８３の腹部８８は、前述のように、中間領域３９ａと中間領域３９ｂの間に位置するように構成しているので、体側側を含む腹部の各部位の診察や内視鏡手術が非常に容易になる。さらに、保定器本体２０を手前側に傾けたときには、第３支持アーム４６と連結部材４７及び４８、並びに、第１支持アーム４０と連結部材４１及び４２が右前肢８４とその近傍の体幹部、及び、右後肢８６とその近傍の体幹部を支持するので、患者動物８３を確実に保持することができ、患者動物８３の関節に過大な負担を掛けることがない。また、保定器本体２０を奥側に傾けたときにも、第４支持アーム４９と連結部材５０及び５１、並びに、第２支持アーム４３と連結部材４４及び４５が患者動物８３を確実に保持する。また、手術時には、患者動物８３の頭部８９の周囲などに多数のチューブや配線を配置することになるが、それらを切り込み部２０ａｂに接するように配置しておくと、例えば手術中に保定器本体２０と第３支持アーム４６との間に入り込んで獣医師の動作を妨げるようなことを防止できる。なお、患者動物８３の頭部８９を切り込み部２０ａａ側に向けて保定するときには、チューブや配線を切り込み部２０ａａに接するように配置することは言うまでもない。
【００３８】
さらに、支持アームにロープ留め具を固定する方法について説明する。図７は、第１の支持アームにロープ留め具を固定した状態を示し、（ａ）は上方からの引張応力に対応するときの取付方向、（ｂ）は手前側上方からの引張応力に対応するときの取付方向、（ｃ）は奥側上方からの引張応力に対応するときの取付方向である。図７において、７４ａは構造部材、７４ｂはロープ挟持部、７４ｃはつまみ部、７４ｄはねじ部であり、その他の符号は図６と同じものを示す。
【００３９】
支持アームにロープ留め具を固定する方法について、ロープ留め具７４の構造部材７４ａに第１支持アーム４０を例として説明する。第１支持アーム４０の患者動物を保持する上で適当な部位を入れ込むようしながら、ロープ留め具７４の取り付け方向を決める。例えば上方から引っ張られる、つまり上方からの引張応力に耐えるようにロープを固定する場合には図７（ａ）、左斜め上方からの引張応力に耐えるようにロープを固定する場合には図７（ｂ）、右のやや上方からの引張応力に耐えるようにロープを固定する場合には図７（ｃ）のように向ける。次に、つまみ部７４ｃを回転させて、ねじ部７４ｄで第１支持アーム４０を締め付ける。なお、ロープは、ロープ挟持部７４ｂと、ロープ挟持部７４ｂの背後に位置する図示していないロープ挟持部との間に挿入することによって２つのロープ挟持部が引張応力に耐えてロープを保持する。もちろん、ロープ留め具７４をさらに別の方向に向けて固定することも可能である。以上のように、第１支持アーム４０をはじめとする支持アームを丸パイプ材を加工して形成するので、ロープ留め具を支持アームの周囲３６０度いずれの方向にも固定できるという大きな利点がある。
【００４０】
さらに、本発明の第１の実施の形態に係る獣医科用保定装置を処置手術台に載置した状態について説明する。図８は、本発明の第１の実施の形態に係る獣医科用保定装置を傾斜可能な処置手術台に装着した状態を示す正面図である。図８において、６０は処置手術台、６１はシンク、６２及び６３は伸縮脚、６４はフレーム、６５及び６６は天板であり、その他の符号は図２と同じものを示す。また、図９は、本発明の第１の実施の形態に係る獣医科用保定装置を傾斜可能な処置手術台に装着した状態を示す右側面図である。図９において用いた符号は、全て図２及び図８と同じものを示す。さらに、図１０は、本発明の第１の実施の形態に係る獣医科用保定装置を傾斜可能な処置手術台に装着した状態を示す平面図である。図１０において用いた符号は、全て図２及び図８と同じものを示す。くわえて、図１１は、本発明の第１の実施の形態に係る獣医科用保定装置を処置手術台上で傾斜させた状態を示す右側面図である。図９において、６７は回転軸であり、その他の符号は図２及び図８と同じものを示す。
【００４１】
処置手術台６０は、図８及び図９に示すように、処置台と手術台を兼ねた多機能な医療用の台であり、上部に浅いシンク６１や、サージカルドレープを支持するためのフレーム６４を設けている。シンク６１は、図１０に示している天板６５及び６６と、こちらの中間に配置する図示していない天板を載置するが、中間の天板を外して獣医科用保定装置１０を載置すると、図８、図９及び図１０に示す状態となる。また、処置手術台６０は、図１１に示すように、回転軸６７を中心としてシンク６１が手前側又は奥側に傾くように構成されている。したがって、獣医科用保定装置１０を大きく傾斜させることが可能である。また、伸縮脚６２と伸縮脚６３とも別個に伸縮可能であるので、獣医科用保定装置１０を長手方向において傾斜させることも可能である。このように、直行する２方向に傾斜可能な処置手術台に載置し、両者を傾斜させることによって、患者動物をさらに色々な方向に他科向けて保定することができる。また、筐体３０の底面に滑り止め３４、３５、３６及び３７を設けているので、シンク６１を傾斜させても獣医科用保定装置１０がずれ動くことを防止できる。
【００４２】
続けて、本発明の第１の実施の形態に係る獣医科用保定装置を傾斜しない処置台に載置した状態について説明する。図１２は、本発明の第１の実施の形態に係る獣医科用保定装置を傾斜しない処置台に装着した状態を示す正面図である。図１２において、６８は処置台、６９はキャビネット、７０はシンク開口部であり、その他の符号は図２と同じものを示す。また、図１３は、本発明の第１の実施の形態に係る獣医科用保定装置を傾斜しない処置台に装着した状態を示す右側面図である。図１３において用いた符号は、すべて図１２と同じものを示す。さらに、図１４は、本発明の第１の実施の形態に係る獣医科用保定装置を傾斜しない処置台に装着した状態を示す平面図である。図１４において、７１及び７２は段差部、７３は混合水栓であり、その他の符号は図１２と同じものを示す。
【００４３】
処置台６８は、図１２及び図１３に示すように、下部にキャビネット６９を設けた旧来からの、一般的な処置台である。図１４に示すように、シンク開口部７０から簀の子を取り外し、簀の子を載置するために設けた段差部７１及び７２に獣医科用保定装置１０を載置している。また、処置台６８は、混合水栓７３を設けている。このような旧来から存在するタイプの処置台では、一般的に水栓を設けているので、獣医科用保定装置１０と処置台６８との組み合わせは、例えば患者動物の頭部などの洗浄を必要とする場合などに、非常に有用と言える。
【００４４】
さらに、本発明の第２の実施の形態に係る獣医科用保定装置について説明する。図１５は、本発明の第２の実施の形態に係る獣医科用保定装置を示す斜視図である。図１５において、１１０は獣医科用保定装置、１２０は保定器本体、１２０ａは第１摺動部材、１２０ｂは第２摺動部材、１２０ｃは基礎部材、１２１は第１レール部材、１２２は第２レール部材、１２３、１２４、１２５及び１２６は支柱、１２９ｂ、１２９ｄ、１２９ｆ及び１２９ｈは固定ねじ、１３０は筐体、１３１ａ及び１３１ｂは開口部、１３２及び１３３は取っ手、１３４及び１３６は滑り止め、１３８ａ及び１３８ｂは開口部、１４０は第１支持アーム、１４０ａは基端側部分、１４０ｂは先端側部分、１４１は保持具、１４２は締め付けねじ、１４３は第２支持アーム、１４３ａは基端側部分、１４３ｂは先端側部分、１４４は保持具、１４６は第３支持アーム、１４６ａは基端側部分、１４６ｂは先端側部分、１４７は保持具、１４８は締め付けねじ、１４９は第４支持アーム、１４９ａは基端側部分、１４９ｂは先端側部分、１５０は保持具である。また、図１６は、本発明の第２の実施の形態に係る獣医科用保定装置を示す正面図である。図１６において、１２０ｃｄ及び１２０ｃｅは案内スリット、１２３ａ、１２３ｂ、１２４ａ、１２４ｂ、１２５ａ、１２５ｂ、１２６ａ及び１２６ｂは折り曲げ部、１２７及び１２８は回転支持部材、１２９ａ、１２９ｃ、１２９ｅ及び１２９ｇは固定ねじ、１３９ａは中間領域である。さらに、図１７は、本発明の第１の実施の形態に係る獣医科用保定装置を示す平面図である。図１７において、１２３ｃは第１分岐部、１２３ｄは第２分岐部、１２６ｃは第１分岐部、１２６ｄは第２分岐部、１３５及び１３７は滑り止め、１３９ｂは中間領域、１４５及び１５１は締め付けねじである。くわえて、図１８は、本発明の第１の実施の形態に係る獣医科用保定装置を示す右側面図である。図１８において、１２０ａａは底部、１２０ａｂは第１傾斜部、１２０ａｃは第２傾斜部、１２０ｃａは底部、１２０ｃｂは第１傾斜部、１２０ｃｃは第２傾斜部、１２３ｅは舌状部である。くわえて、図１９は、本発明の第２の実施の形態に係る獣医科用保定装置の保定器本体を伸張した状態を示す斜視図である。図１９において用いた符号は、すべて図１５と同じものを示す。
【００４５】
図１５及び図１６に示すように、獣医科用保定装置１１０の全体構成は、患者動物を保持する保定器本体１２０を支柱１２４、などの４本の支柱によって支持している。これら４本の支柱は、筐体１３０に収納されているアクチュエータによって長手方向に直交する方向において傾斜可能な状態で支持されている。筐体１３０は、アクチュエータなどを収納する筐体であるが、保定器本体１２０や、４本の支柱、アクチュエータなど全体構造を支持する基台としての機能も持っている。よって、全体構成は、本発明の第１の実施の形態に係る獣医科用保定装置１０と同じ構成である
【００４６】
一方、獣医科用保定装置１１０では、図１５及び図１７に示すように、支柱１２３及び１２６に支持されると共に保定器本体１２０の一方の側部に沿って延びる第１レール部材１２１と、同様に支柱１２３及び１２６に支持されると共に保定器本体１２０の一方の側部に沿って延びる第２レール部材１２２とが設けられている。さらに、第１レール部材１２１に対して第１支持アーム１４０と第３支持アーム１４６とが摺動可能、かつ、固定可能に設けられ、第２レール部材１２２に対して第２支持アーム１４３と第４支持アーム１４９とが摺動可能、かつ、固定可能に設けられている。したがって、本発明の第１の実施の形態に係る獣医科用保定装置１０とは、４つの支持アームとその周辺の構成が大きく異なっている。
【００４７】
さらに、保定器本体１２０は、伸縮可能な構成を備えている。すなわち、長手方向に沿って延びる谷状部が形成された基礎部材１２０ｃの上面側に第１摺動部材１２０ａと第２摺動部材１２０ｂとを設けている。第１摺動部材１２０ａと第２摺動部材１２０ｂとは、図１９に示すように、長手方向に沿って延びる谷状部が形成されると共に、前記基礎部材に長手方向に沿って、かつ、互いに背向する方向に摺動するように構成されている。よって、本発明の第１の実施の形態に係る獣医科用保定装置１０とは、保定器本体の構成も異なっている。以下に、これらの異なる構成を中心に詳しく説明する。
【００４８】
図１５及び図１６に示すように、筐体１３０の開口部１３１ａ、開口部１３８ａ、開口部１３８ｂ及び開口部１３１ｂから支柱１２３、１２４、１２５及び１２６が立ち上がっている。図１７及び図１８に示すように、支柱１２３は、上部がＹ字状に分岐して、第１分岐部１２３ｃ及び第２分岐部１２３ｄが形成されている。支柱１２６も同様に、上部がＹ字状に分岐して、第１分岐部１２６ｃ及び第２分岐部１２６ｄが形成されている。さらに、第１分岐部１２３ｃと第１分岐部１２６ｃとは第１レール部材１２１の両端部にそれぞれ接続されて第１レール部材１２１を支持しており、第２分岐部１２３ｄと第２分岐部１２６ｄとは第２レール部材１２２の両端部にそれぞれ接続されて第２レール部材１２２を支持している。
【００４９】
また、第１レール部材１２１は第１支持アーム１４０と第３支持アーム１４６とを保定器本体１２０の長手方向に沿って摺動可能に支持しており、第２レール部材１２２も第２支持アーム１４３と第４支持アーム１４９とを保定器本体１２０の長手方向に沿って摺動可能に支持している。さらに、第１支持アーム１４０の基端部には保持具１４１がもうけられており、第１支持アーム１４０は保持具１４１を介して第１レール部材１２１に支持されている。図１８から分かるように、保持具１４１は、第１レール部材１２１の周側面の１面の一部分を除いて、第１レール部材１２１を取り囲んでいるので、第１支持アーム１４０を側方から引っ張っても第１レール部材１２１から離脱することがない。したがって、患者動物が暴れても、その影響で第１支持アーム１４０が離脱するようなことがない。また、保持具１４１には、締め付けねじ１４２が設けられており、第１レール部材１２１を締め付けねじ１４２で締め付けることによって保持具１４１を第１レール部材１２１の任意の位置に固定することが可能である。
【００５０】
図１５及び図１７に示すように、第３支持アーム１４６も第１支持アーム１４０と同様に、保持具１４７を介して第１レール部材１２１に摺動可能に支持されている。また、締め付けねじ１４８で締め付けることによって保持具１４７を第１レール部材１２１の任意の位置に固定することが可能である。さらに、第２支持アーム１４３と第４支持アーム１４９とも、第２レール部材１２２に対して、保持具１４４と保持具１５０とを介して第２レール部材１２２に摺動可能にそれぞれ支持されている。また、締め付けねじ１４５と締め付けねじ１５１とで締め付けることによって保持具１４４と保持具１５０とを第２レール部材１２２の任意の位置に固定することが可能である。くわえて、４つの支持アームは、それぞれ独立して保持具及び締め付けねじが設けられている。よって、図１５及び図１９のように、それぞれ保定器本体１２０の長手方向又はこれに直交する方向に対して対称となる位置に固定するのではなく、例えば患者動物の状況に応じて非対称となる位置に固定することも可能である。以上のように、第１支持アーム１４０、第２支持アーム１４３、第３支持アーム１４６及び第４支持アーム１４９を保持する位置を患者動物の体長などに応じて適宜変更することが可能であり、患者動物をさらに的確に保定できるという利点がある。また、図１７に示すように、本発明の第１の実施の形態に係る獣医科用保定装置１０と同様に、中間領域１３９ａ及び１３９を生じる構成としたことによって、患者動物の体側部が獣医師の眼前に現れた状態となり、診察や手術を適切に行うことができる。
【００５１】
また、第１支持アーム１４０と第３支持アーム１４６は第１レール部材１２１から脱させることが可能であり、同様に、第２支持アーム１４３と第４支持アーム１４９とも第２レール部材１２２から離脱させることが可能である。すなわち、図１８の部分拡大図から分かるように、第２分岐部１２３ｄには、第２レール部材１２２の外形に合わせて切り欠きを設けており、かつ、この切り欠きは第２支持アーム１４３の保持具１４４に干渉しないように形成されている。したがって、第２支持アーム１４３を第２分岐部１２３ｄに向かって摺動させ続けると、第２レール部材１２２から離脱する。第４支持アーム１４９においても、第２支持アーム１４３と反対側に摺動させ続けることによって第２レール部材１２２から離脱することが可能である。第１支持アーム１４０と第３支持アーム１４６とも、同様の方法によって第１レール部材１２１から離脱することが可能である。よって、これら４つの支持アームを第１レール部材１２１及び第２レール部材１２２から抜き取って滅菌処理を行うこともでき、衛生管理が容易になる利点もある。
【００５２】
さらに、第１支持アーム１４０は、本発明の第１の実施の形態に係る獣医科用保定装置１０とほぼ同様に、基端側部分１４０ａから先端側部分１４０ｂに向かって保定器本体１２０から離隔して行くように形成されている。なお、先端側部分１４０ｂのさらに先端側の部分は保定器本体１２０とほぼ平行に形成されている。第２支持アーム１４３、第３支持アーム１４６及び第４支持アーム１４９も、それぞれ、基端側部分１４３ａから先端側部分１４３ｂ、基端側部分１４６ａから先端側部分１４６ｂ、基端側部分１４９ａから先端側部分１４９ｂに向かって保定器本体１２０から離隔して行くように形成されている。なお、第１支持アーム１４０、第２支持アーム１４３、第３支持アーム１４６及び第４支持アーム１４９においても、ロープ留め具を固定することが可能である。
【００５３】
保定器本体１２０は、基礎部材１２０ｃの上面側に第１摺動部材１２０ａと第２摺動部材１２０ｂとが摺動可能、かつ、固定可能に設けられている。すなわち、図１８に示すように示すように、基礎部材１２０ｃは、平坦な底部１２０ｃａの左右両側端部から斜め上方に拡がるように立ち上がる第１傾斜部１２０ｃｂと第２傾斜部１２０ｃｃとが一体に形成されている。底部１２０ａａと第１傾斜部１２０ａｂ及び第２傾斜部１２０ａｃは、保定器本体１２０の長手方向に谷状に延びている。また、基礎部材１２０ｃの第１傾斜部１２０ｃｂには、図１６に示すように、案内スリット１２０ｃｄと案内スリット１２０ｃｅとが形成されており、図１６に図示していない第２傾斜部１２０ｃｃにも同様の形状及び配置で２つの案内スリットが形成されている。
【００５４】
また、第１摺動部材１２０ａは、基礎部材１２０ｃの上面のほぼ半分に相当する面積に形成されており、平坦な底部１２０ａａの左右両側端部から斜め上方に拡がるように立ち上がる第１傾斜部１２０ａｂと第２傾斜部１２０ａｃとが一体に形成されている。底部１２０ａａと第１傾斜部１２０ａｂ及び第２傾斜部１２０ａｃは、保定器本体１２０の長手方向に谷状に延びている。さらに、図１６及び図１７に示すように、固定ねじ１２９ａ及び１２９ｃと固定ねじ１２９ｂ及び１２９ｄが基礎部材１２０ｃの案内スリット１２０ｃｄと図示していない案内スリットに対して突出している。固定ねじ１２９ａ及び１２９ｃと固定ねじ１２９ｂ及び１２９ｄとは、第１摺動部材１２０ａを基礎部材１２０ｃに対して固定するためのものであり、さらに第１摺動部材１２０ａを基礎部材１２０ｃ上で摺動させるときに第１摺動部材１２０ａを案内する役割も併せ持っている。また、第２摺動部材１２０ｂは、基礎部材１２０ｃの長手方向の中間点を含み、かつ、基礎部材１２０ｃの長手方向に直交する面に対して第１摺動部材１２０ａと対称となる形状に形成されている。くわえて、固定ねじ１２９ｅ及び１２９ｇと固定ねじ１２９ｆ及び１２９ｈとが基礎部材１２０ｃの案内スリット１２０ｃｅと図示していない案内スリットに対して突出している。固定ねじ１２９ｅ及び１２９ｇと固定ねじ１２９ｆ及び１２９ｈとが基礎部材１２０ｃとは、第２摺動部材１２０ｂを基礎部材１２０ｃに対して固定するためのものであり、さらに第２摺動部材１２０ｂを基礎部材１２０ｃ上で摺動させるときに第２摺動部材１２０ｂを案内する役割も併せ持っている。
【００５５】
以上の構成によれば、第１摺動部材１２０ａと第２摺動部材１２０ｂとを摺動させることによって保定器本体１２０が長手方向に伸縮可能となり、様々な種類又は大きさの患者動物に対応することが可能となる。また、各固定ねじのナットを取り外したときには、第１摺動部材１２０ａと第２摺動部材１２０ｂとを基礎部材１２０ｃから簡単に取り外すことができ、第１摺動部材１２０ａと第２摺動部材１２０ｂとの滅菌処理が容易に行える。さらに、獣医科用保定装置１１０を使用しない場合には、保定器本体１２０を縮め、さらに、第１支持アーム１４０と第３支持アーム１４６、及び、第２支持アーム１４３と第４支持アーム１４９を互いに接近させておけば収納も容易になる。
【００５６】
また、獣医科用保定装置１１０は、筐体１３０の長手側の２つの側面に取っ手１３２と取っ手１３３をそれぞれ設けている。取っ手１３２及び１３３は、獣医科用保定装置１１０の運搬を容易にすると共に、獣医師などが獣医科用保定装置１１０を載置する際に獣医科用保定装置１１０とシンクとの間に手を挟むことを防止するために設けたものである。なお、本発明の第１の実施の形態に係る獣医科用保定装置１０と同様に、支柱１２３の折り曲げ部１２３ａ及び１２３ｂ、支柱１２４の折り曲げ部１２４ａ及び１２４ｂ、支柱１２５の折り曲げ部１２５ａ及び１２５ｂ、及び、支柱１２６の折り曲げ部１２６ａ及び１２６ｂによって保定器本体１２０を固定して支持している。また、支柱１２３の舌状部１２３ｅを回転支持部材１２７で回転可能に支持し、同様に支柱１２６を回転支持部材１２８によって回転可能に支持している点、筐体１３０の底面に滑り止め１３４、１３５、１３６及び１３７を設けている点も、第１の実施の形態に係る獣医科用保定装置１０と同様であるので、詳細な説明を省略する。くわえて、保定器本体１２０の長手方向及び長手方向に直交する方向において傾斜可能であること、及び、処置台等に載置して使用することも、第１の実施の形態に係る獣医科用保定装置１０と同様であるので、詳細な説明を省略する。
【００５７】
なお、本発明は、以上に説明した各実施の形態の説明内容に限定されるものではなく、例えば、筐体３０の下部に、筐体３０を支持し、かつ、筐体３０を水平方向に回転可能な別の台を設けたり、あるいは、筐体３０の下部に、筐体３０を支持し、かつ、筐体３０を獣医科用保定装置の長手方向に摺動可能な別の台をさらに設けたりするなど、各請求項に記載した範囲を逸脱しない限りにおいて、種々の形態に変えることが可能である。
【符号の説明】
【００５８】
１０      獣医科用保定装置
２０      保定器本体
２０ａ    円弧状曲面部
２０ａａ  切り込み部
２０ａｂ  切り込み部
２０ｂ    平面部
２０ｃ    平面部
２１      支持部材
２２      支持部材
２３      支柱
２３ａ    折り曲げ部
２３ｂ    折り曲げ部
２３ｃ    舌状部
２４      支柱
２４ａ    折り曲げ部
２４ｂ    舌状部
２５      支柱
２５ａ    折り曲げ部
２６      支柱
２６ａ    折り曲げ部
２７      回転支持部材
２８      回転支持部材
２９      回転軸
３０      筐体
３１ａ    開口部
３１ｂ    開口部
３２      電動アクチュエータ
３２ａ    駆動部
３３      回転軸
３４      滑り止め
３５      滑り止め
３５ａ    水平部
３５ｂ    垂直部
３６      滑り止め
３７      滑り止め
３８ａ    開口部
３８ｂ    開口部
３９ａ    中間領域
３９ｂ    中間領域
４０      第１支持アーム
４０ａ    湾曲部
４０ｂ    直線状部
４１      連結部材
４２      連結部材
４３      第２支持アーム
４３ａ    湾曲部
４３ｂ    直線状部
４４      連結部材
４５      連結部材
４６      第３支持アーム
４６ａ    湾曲部
４６ｂ    直線状部
４７      連結部材
４８      連結部材
４９      第４支持アーム
４９ａ    湾曲部
４９ｂ    直線状部
５０      連結部材
５１      連結部材
６０      処置手術台
６１      シンク
６２      伸縮脚
６３      伸縮脚
６４      フレーム
６５      天板
６６      天板
６７      回転軸
６８      処置台
６９      キャビネット
７０      シンク開口部
７１      段差部
７２      段差部
７３      混合水栓
７４      ロープ留め具
７４ａ    構造部材
７４ｂ    ロープ挟持部
７４ｃ    つまみ部
７４ｄ    ねじ部
７５      ロープ留め具
７６      ロープ留め具
７７      ロープ留め具
７８      ロープ
７９      ロープ
８０      ロープ
８１      ロープ
８２      マット
８３      患者動物
８４      右前肢
８５      左前肢
８６      右後肢
８７      左後肢
８８      腹部
８９      頭部
１１０      獣医科用保定装置
１２０      保定器本体
１２０ａ    第１摺動部材
１２０ａａ  底部
１２０ａｂ  第１傾斜部
１２０ａｃ  第２傾斜部
１２０ｂ    第２摺動部材
１２０ｃ    基礎部材
１２０ｃａ  底部
１２０ｃｂ  第１傾斜部
１２０ｃｃ  第２傾斜部
１２０ｃｄ  案内スリット
１２０ｃｅ  案内スリット
１２１      第１レール部材
１２２      第２レール部材
１２３      支柱
１２３ａ    折り曲げ部
１２３ｂ    折り曲げ部
１２３ｃ    第１分岐部
１２３ｄ    第２分岐部
１２３ｅ    舌状部
１２４      支柱
１２４ａ    折り曲げ部
１２４ｂ    折り曲げ部
１２５      支柱
１２５ａ    折り曲げ部
１２５ｂ    折り曲げ部
１２６      支柱
１２６ａ    折り曲げ部
１２６ｂ    折り曲げ部
１２６ｃ    第１分岐部
１２６ｄ    第２分岐部
１２７      回転支持部材
１２８      回転支持部材
１２９ａ    固定ねじ
１２９ｂ    固定ねじ
１２９ｃ    固定ねじ
１２９ｄ    固定ねじ
１２９ｅ    固定ねじ
１２９ｆ    固定ねじ
１２９ｇ    固定ねじ
１２９ｈ    固定ねじ
１３０      筐体
１３１ａ    開口部
１３１ｂ    開口部
１３２      取っ手
１３３      取っ手
１３４      滑り止め
１３５      滑り止め
１３６      滑り止め
１３７      滑り止め
１３８ａ    開口部
１３８ｂ    開口部
１３９ａ    中間領域
１３９ｂ    中間領域
１４０      第１支持アーム
１４０ａ    基端側部分
１４０ｂ    先端側部分
１４１      保持具
１４２      締め付けねじ
１４３      第２支持アーム
１４３ａ    基端側部分
１４３ｂ    先端側部分
１４４      保持具
１４５      締め付けねじ
１４６      第３支持アーム
１４６ａ    基端側部分
１４６ｂ    先端側部分
１４７      保持具
１４８      締め付けねじ
１４９      第４支持アーム
１４９ａ    基端側部分
１４９ｂ    先端側部分
１５０      保持具
１５１      締め付けねじ
１９０      獣医科用保定装置
１９１      ポジショナー
１９２      弾性拘束体
１９３      面ファスナー
１９４      患者動物
【図１】
2015167660.tif 000003
【図２】
2015167660.tif 000004
【図３】
2015167660.tif 000005
【図４】
2015167660.tif 000006
【図５】
2015167660.tif 000007
【図６】
2015167660.tif 000008
【図７】
2015167660.tif 000009
【図８】
2015167660.tif 000010
【図９】
2015167660.tif 000011
【図１０】
2015167660.tif 000012
【図１１】
2015167660.tif 000013
【図１２】
2015167660.tif 000014
【図１３】
2015167660.tif 000015
【図１４】
2015167660.tif 000016
【図１５】
2015167660.tif 000017
【図１６】
2015167660.tif 000018
【図１７】
2015167660.tif 000019
【図１８】
2015167660.tif 000020
【図１９】
2015167660.tif 000021
【図２０】
2015167660.tif 000022